(57)【要約】 【課題】突発的なノイズの混入等により基板が初期化を要する状態に陥っても、自動復旧することが可能な画像形成装置および画像形成方法を提供する。【解決手段】本発明の画像形成装置は、外部から画像データを受信し、画像データの印刷を管理する第１の制御基板と、画像データに基づく印刷を実行するためのハードウェアを制御する第２の制御基板と、を備え、第１の制御基板と第２の制御基板とが通信しながら印刷を実行する。第１の制御基板は、第２の制御基板が初期化を要する状態になったことを検知した場合、第１の制御基板の初期化を実行するとともに、第２の制御基板に対して、初期化の実行を命令する初期化実行命令を送信する。第２の制御基板は、第１の制御基板から初期化実行命令を受信した場合、第２の制御基板の初期化を実行する。【選択図】図１
2018132596.tif 000002
【特許請求の範囲】
【請求項１】
外部から画像データを受信し、前記画像データの印刷を管理する第１の制御基板と、前記画像データに基づく印刷を実行するためのハードウェアを制御する第２の制御基板と、を備え、前記第１の制御基板と前記第２の制御基板とが通信しながら印刷を実行する画像形成装置であって、
前記第１の制御基板は、前記第２の制御基板が初期化を要する状態になったことを検知した場合、前記第１の制御基板の初期化を実行するとともに、前記第２の制御基板に対して、初期化の実行を命令する初期化実行命令を送信し、
前記第２の制御基板は、前記第１の制御基板から前記初期化実行命令を受信した場合、前記第２の制御基板の初期化を実行する、
画像形成装置。
【請求項２】
前記第１の制御基板は、
前記第２の制御基板に対して、状態の通知を要求する状態通知命令を定期的に送信し、前記状態通知命令に対する応答を一定期間にわたって受信しない場合は、前記第２の制御基板が初期化を要する状態になったことを検知する、
請求項１に記載の画像形成装置。
【請求項３】
前記第１の制御基板および前記第２の制御基板の各々には、前記第２の制御基板の状態を検知するための信号線が接続され、
前記第２の制御基板は、初期化を要する状態になった場合、所定の状態信号を前記信号線へ出力し、
前記第１の制御基板は、前記所定の状態信号を検知した場合は、前記第２の制御基板が初期化を要する状態になったことを検知する、
請求項１に記載の画像形成装置。
【請求項４】
前記第２の制御基板は、前記第２の制御基板が初期化を要する状態になった場合、その旨を通知するための通知情報を前記第１の制御基板へ送信し、
前記第１の制御基板は、前記第２の制御基板から前記通知情報を受信した場合、前記第２の制御基板が初期化を要する状態になったことを検知する、
請求項１に記載の画像形成装置。
【請求項５】
前記第１の制御基板は、印刷対象の前記画像データを含み、かつ、印刷の実行を要求する印刷要求を前記第２の制御基板へ送信し、
前記第２の制御基板は、前記第１の制御基板から受信した前記印刷要求に含まれる前記画像データに基づく印刷を前記ハードウェアに実行させるための制御を行い、前記第１の制御基板に対して、印刷の状況を通知する印刷状況通知を定期的に送信し、
前記第１の制御基板は、前記印刷要求を送信した後、前記第２の制御基板から、一定期間にわたって前記印刷状況通知を受信しない場合、印刷中に異常が発生した旨を報知する制御を行う、
請求項１乃至４のうちの何れか１項に記載の画像形成装置。
【請求項６】
外部から画像データを受信し、前記画像データの印刷を管理する第１の制御基板と、前記画像データに基づく印刷を実行するためのハードウェアを制御する第２の制御基板と、を備え、前記第１の制御基板と前記第２の制御基板とが通信しながら印刷を実行する画像形成装置による画像形成方法であって、
前記第１の制御基板は、前記第２の制御基板が初期化を要する状態になったことを検知した場合、前記第１の制御基板の初期化を実行するとともに、前記第２の制御基板に対して、初期化の実行を命令する初期化実行命令を送信するステップを有し、
前記第２の制御基板は、前記第１の制御基板から前記初期化実行命令を受信した場合、前記第２の制御基板の初期化を実行するステップを有する、
画像形成方法。
【発明の詳細な説明】
【技術分野】
【０００１】
本発明は、画像形成装置および画像形成方法に関する。
【背景技術】
【０００２】
画像形成装置のハードウェア構成において、複数の制御基板を搭載し、基板ごとに役割分担することで、基板一枚あたりの制御負荷を減らし、高速度印刷や、高度なユーザーインタフェースを実現する技術が知られている。例えば特許文献１には、複数の基板間の通信異常発生時に、それを検出し、復旧させる画像形成装置が開示されている。
【発明の概要】
【発明が解決しようとする課題】
【０００３】
しかしながら、特許文献１に開示された技術では、複数の基板間の通信異常を検出しているが、例えばノイズが基板のＣＰＵのリセット端子に混入し、該基板が初期化を要する状態（リセットが必要な状態）になったことを検出することは想定されておらず、その場合の解決手段は開示されていない。
【０００４】
本発明は、突発的なノイズの混入等により基板が初期化を要する状態に陥っても、自動復旧することが可能な画像形成装置および画像形成方法を提供することを目的とする。
【課題を解決するための手段】
【０００５】
上述した課題を解決し、目的を達成するために、本発明は、外部から画像データを受信し、前記画像データの印刷を管理する第１の制御基板と、前記画像データに基づく印刷を実行するためのハードウェアを制御する第２の制御基板と、を備え、前記第１の制御基板と前記第２の制御基板とが通信しながら印刷を実行する画像形成装置であって、前記第１の制御基板は、前記第２の制御基板が初期化を要する状態になったことを検知した場合、前記第１の制御基板の初期化を実行するとともに、前記第２の制御基板に対して、初期化の実行を命令する初期化実行命令を送信し、前記第２の制御基板は、前記第１の制御基板から前記初期化実行命令を受信した場合、前記第２の制御基板の初期化を実行する。
【発明の効果】
【０００６】
本発明によれば、突発的なノイズの混入等により基板が初期化を要する状態に陥っても、自動復旧することができる。
【図面の簡単な説明】
【０００７】
【図１】図１は、第１の実施形態のシステムの概略構成の一例を示す図である。
【図２】図２は、第１の実施形態のコントローラ基板が有する機能の一例を示す図である。
【図３】図３は、第１の実施形態のエンジン基板が有する機能の一例を示す図である。
【図４】図４は、第１の実施形態の画像形成装置に対する電力供給開始時の動作手順を示すシーケンス図である。
【図５】図５は、エンジン基板が初期化を要する状態に陥った場合の画像形成装置１０の動作手順を示すシーケンス図である。
【図６】図６は、第２の実施形態のシステムの概略構成の一例を示す図である。
【図７】図７は、第２の実施形態のエンジン基板が有する機能の一例を示す図である。
【図８】図８は、エンジン基板が初期化を要する状態に陥った場合の画像形成装置の動作手順を示すシーケンス図である。
【図９】図９は、第３の実施形態のエンジン基板が有する機能の一例を示す図である。
【図１０】図１０は、エンジン基板が初期化を要する状態に陥った場合の画像形成装置の動作手順を示すシーケンス図である。
【図１１】図１１は、第３の実施形態のコントローラ基板が有する機能の一例を示す図である。
【図１２】図１２は、第３の実施形態のエンジン基板が有する機能の一例を示す図である。
【図１３】図１３は、エンジン基板が初期化を要する状態に陥った場合の画像形成装置１０の動作手順を示すシーケンス図である。
【発明を実施するための形態】
【０００８】
以下、添付図面を参照しながら、本発明に係る画像形成装置および画像形成方法の実施形態を詳細に説明する。
【０００９】
（第１の実施形態）
図１は、本実施形態のシステム１の概略構成の一例を示す図である。図１に示すように、システム１は、画像形成装置１０と、外部装置であるＰＣ（Personal  Computer）２０と、を含む。画像形成装置１０は、印刷対象の画像データをＰＣ２０から受信し、その受信した画像データに基づく印刷を実行する。
【００１０】
図１に示すように、画像形成装置１０は、コントローラ基板１００と、エンジン基板２００と、画像データに基づく印刷を実行するためのハードウェア３００と、を含む。コントローラ基板１００およびエンジン基板２００の各々は、制御コアとしてＣＰＵ（Central  Processing  Unit）を持つ。また、ここでは、印刷を実行するためのハードウェア３００として、用紙（記録媒体の一例）に転写されたトナー像を定着させるための定着ユニット３０１、トナー像を感光体上に形成して用紙に転写するための作像ユニット３０２、用紙を搬送するための用紙搬送ユニット３０３が挙げられているが、これに限られるものではない。
【００１１】
コントローラ基板１００は、「第１の制御基板」の一例であり、ＰＣ２０から画像データを受信し、画像データの印刷を管理（印刷順序等も含めて管理）する。エンジン基板２００は、「第２の制御基板」の一例であり、画像データに基づく印刷を実行するためのハードウェア３００を制御する。本実施形態の画像形成装置１０は、コントローラ基板１００とエンジン基板２００とが通信しながら印刷を実行する。ここでは、印刷動作において、コントローラ基板１００は、ＰＣ２０から画像データを受信し、その受信した画像データをエンジン基板２００へ送る。エンジン基板２００は、コントローラ基板１００から画像データを作像ユニットへ送る動作と並行して、印刷に必要な各ユニット（定着ユニット３０１、用紙搬送ユニット３０３等）を制御することで、印刷動作を実現する。
【００１２】
本実施形態では、コントローラ基板１００は、エンジン基板２００が初期化を要する状態（リセットが必要な状態）になったことを検知した場合、コントローラ基板１００の初期化を実行するとともに、エンジン基板２００に対して、初期化の実行を命令する初期化実行命令を送信する。この例では、コントローラ基板１００は、エンジン基板２００に対して、状態の通知を要求する状態通知命令を定期的に送信し、状態通知命令に対する応答を一定期間にわたって受信しない場合は、エンジン基板２００が初期化を要する状態になったことを検知する。
【００１３】
また、エンジン基板２００は、コントローラ基板１００から上述の初期化実行命令を受信した場合、エンジン基板２００の初期化を実行する。
【００１４】
図２は、コントローラ基板１００が有する機能の一例を示す図である。図２に示すように、コントローラ基板１００は、状態通知命令送信部１０１、検知部１０２、初期化制御部１０３を有する。なお、図２の例では、本発明に関する機能を主に例示しているが、コントローラ基板１００が有する機能はこれらに限られるものではない。図２に示す機能は、コントローラ基板１００のＣＰＵが記憶装置に格納されたプログラムを実行することにより実現されるが、これに限らず、例えば図２に示す機能のうちの少なくとも一部が専用のハードウェア回路で実現される形態であってもよい。
【００１５】
状態通知命令送信部１０１は、エンジン基板２００に対して、状態の通知を要求する状態通知命令を定期的に送信する。検知部１０２は、状態通知命令に対する応答（状態通知）を一定期間にわたって受信しない場合は、エンジン基板２００が初期化を要する状態になったことを検知する。初期化制御部１０３は、検知部１０２によりエンジン基板２００が初期化を要する状態になったことが検知された場合、コントローラ基板１００の初期化を実行するとともに、エンジン基板２００に対して、初期化の実行を命令する初期化実行命令を送信するための制御を行う。
【００１６】
図３は、エンジン基板２００が有する機能の一例を示す図である。図３に示すように、エンジン基板２００は、状態通知送信部２０１、初期化部２０２を有する。なお、図３の例では、本発明に関する機能を主に例示しているが、エンジン基板２００が有する機能はこれらに限られるものではない。図３に示す機能は、エンジン基板２００のＣＰＵが記憶装置に格納されたプログラムを実行することにより実現されるが、これに限らず、例えば図３に示す機能のうちの少なくとも一部が専用のハードウェア回路で実現される形態であってもよい。
【００１７】
状態通知送信部２０１は、コントローラ基板１００からの状態通知命令に対する応答として、エンジン基板２００の状態を通知するための状態通知を送信する。初期化部２０２は、コントローラ基板１００から初期化実行命令を受信した場合、エンジン基板２００の初期化を実行する。
【００１８】
図４は、画像形成装置１０に対する電力供給開始時の動作手順を示すシーケンス図である。まずコントローラ基板１００（初期化制御部１０３）は、エンジン基板２００に対して初期化実行命令を送信するとともに（ステップＳ１）、コントローラ基板１００の初期化を実行する（ステップＳ２）。また、コントローラ基板１００から初期化実行命令を受信したエンジン基板２００（初期化部２０２）は、エンジン基板２００の初期化を実行し（ステップＳ３）、初期化が終了すると、その旨を示す初期化終了通知をコントローラ基板１００へ送信する（ステップＳ４）。以降は、印刷の実行を要求する印刷要求を待つ状態となるが、コントローラ基板１００（状態通知命令送信部１０１）は、エンジン基板２００に対して上述の状態通知命令を送信し（ステップＳ５）、エンジン基板２００（状態通知送信部２０１）は、その応答として、状態通知をコントローラ基板１００へ送信する（ステップＳ６）。以降は、ステップＳ５とＳ６が定期的に繰り返される。
【００１９】
図５は、例えばノイズがエンジン基板２００のＣＰＵのリセット端子に混入するなどの原因により、エンジン基板２００が初期化を要する状態に陥った場合の画像形成装置１０の動作手順を示すシーケンス図である。図５の例では、任意のタイミングであるステップＳ５において、コントローラ基板１００がエンジン基板２００に対して状態通知命令を送信した後に、エンジン基板２００が初期化を要する状態に陥った場合（リセット発生した場合）を想定している（ステップＳ７）。この場合、エンジン基板２００は初期化実行命令を待つ状態となる（ステップＳ８）。
【００２０】
ここでは、コントローラ基板１００（検知部１０２）は、状態通知命令に対する応答（状態通知）を一定期間にわたって受信しないので、エンジン基板２００が初期化を要する状態になったことを検知する。そして、コントローラ基板１００（初期化制御部１０３）は、エンジン基板２００に対して上述の初期化実行命令を送信する（ステップＳ９）。また、コントローラ基板１００（初期化制御部１０３）は、コントローラ基板１００の初期化を実行する（ステップＳ１０）。また、コントローラ基板１００から初期化実行命令を受信したエンジン基板２００（初期化部２０２）は、エンジン基板２００の初期化を実行し（ステップＳ１１）、初期化が終了すると、その旨を示す初期化終了通知をコントローラ基板１００へ送信する（ステップＳ１２）。以降は、印刷要求を待つ状態となる。
【００２１】
以上に説明したように、コントローラ基板１００は、エンジン基板２００が初期化を要する状態になったことを検知した場合、コントローラ基板１００の初期化を実行するとともに、エンジン基板２００に対して、初期化の実行を命令する初期化実行命令を送信する。そして、エンジン基板２００は、コントローラ基板１００から初期化実行命令を受信した場合、エンジン基板２００の初期化を実行する。これにより、突発的なノイズの混入等によりエンジン基板２００が初期化を要する状態に陥っても、自動復旧できる。
【００２２】
（第２の実施形態）
次に、第２の実施形態について説明する。上述の第１の実施形態と共通する部分については適宜に説明を省略する。
【００２３】
図６は、本実施形態のシステム１の概略構成の一例を示す図である。図１に示すように、画像形成装置１０のコントローラ基板１００およびエンジン基板２００の各々には、エンジン基板２００の状態を検知するための信号線４００が接続されている。本実施形態では、エンジン基板２００は、初期化を要する状態になった場合、所定の状態信号を信号線４００へ出力し、コントローラ基板１００（検知部１０２）は、所定の状態信号を検知した場合は、エンジン基板２００が初期化を要する状態になったことを検知する。この例では所定の状態信号は、ローレベルの信号（ネガティブ信号）であるが、これに限られるものではなく、コントローラ基板１００が、エンジン基板２００のリセット発生を検知可能な信号であればよい。
【００２４】
図７は、本実施形態のエンジン基板２００が有する機能の一例を示す図である。図７に示すように、エンジン基板２００は、状態信号出力部２０３をさらに有する。状態信号出力部２０３は、エンジン基板２００が初期化を要する状態になった場合、所定の状態信号を信号線４００へ出力する。なお、コントローラ基板１００が有する機能は上述の第１の実施形態と同様であるが、検知部１０２は、所定の状態信号が信号線４００に出力されたことを検知した場合（この例では、信号線４００がローレベルに設定されたことを検知した場合）は、エンジン基板２００が初期化を要する状態になったことを検知する点で上述の第１の実施形態と相異する。
【００２５】
図８は、例えばノイズがエンジン基板２００のＣＰＵのリセット端子に混入するなどの原因により、エンジン基板２００が初期化を要する状態に陥った場合の画像形成装置１０の動作手順を示すシーケンス図である。図８の例では、任意のタイミングであるステップＳ５において、コントローラ基板１００がエンジン基板２００に対して状態通知命令を送信した後に、エンジン基板２００が初期化を要する状態に陥った場合（リセット発生した場合）を想定している（ステップＳ７）。この場合、エンジン基板２００（状態信号出力部２０３）は、所定の状態信号を信号線４００へ出力し（ステップＳ２０）、初期化実行命令を待つ状態となる（ステップＳ２１）。
【００２６】
コントローラ基板１００（検知部１０２）は、所定の状態信号が信号線４００へ出力されたことを検知し、エンジン基板２００が初期化を要する状態になったことを検知する。この例では、検知部１０２は、信号線４００のレベルを定期的に確認している。そして、コントローラ基板１００（初期化制御部１０３）は、エンジン基板２００に対して上述の初期化実行命令を送信する（ステップＳ２２）。また、コントローラ基板１００（初期化制御部１０３）は、コントローラ基板１００の初期化を実行する（ステップＳ２３）。また、コントローラ基板１００から初期化実行命令を受信したエンジン基板２００（初期化部２０２）は、エンジン基板２００の初期化を実行し（ステップＳ２４）、初期化が終了すると、その旨を示す初期化終了通知をコントローラ基板１００へ送信する（ステップＳ２５）。以降は、印刷要求を待つ状態となる。
【００２７】
本実施形態の構成であっても、上述の第１の実施形態と同様に、突発的なノイズの混入等によりエンジン基板２００が初期化を要する状態に陥っても、自動復旧できる。
【００２８】
（第３の実施形態）
次に、第３の実施形態について説明する。上述の第１の実施形態と共通する部分については適宜に説明を省略する。本実施形態では、エンジン基板２００は、エンジン基板２００が初期化を要する状態になった場合、その旨を通知するための通知情報をコントローラ基板１００へ送信し、コントローラ基板１００（検知部１０２）は、エンジン基板２００から通知情報を受信した場合、エンジン基板２００が初期化を要する状態になったことを検知する。
【００２９】
図９は、本実施形態のエンジン基板２００が有する機能の一例を示す図である。図９に示すように、エンジン基板２００は、通知情報送信部２０４をさらに有する。通知情報送信部２０４は、エンジン基板２００が初期化を要する状態になった場合、その旨を通知するための通知情報をコントローラ基板１００へ送信する。なお、コントローラ基板１００が有する機能は上述の第１の実施形態と同様であるが、検知部１０２は、エンジン基板２００から通知情報を受信した場合、エンジン基板２００が初期化を要する状態になったことを検知する点で上述の第１の実施形態と相異する。
【００３０】
図１０は、例えばノイズがエンジン基板２００のＣＰＵのリセット端子に混入するなどの原因により、エンジン基板２００が初期化を要する状態に陥った場合の画像形成装置１０の動作手順を示すシーケンス図である。図１０の例では、任意のタイミングであるステップＳ５において、コントローラ基板１００が状態通知命令を送信した後に、エンジン基板２００が初期化を要する状態に陥った場合（リセット発生した場合）を想定している（ステップＳ７）。この場合、エンジン基板２００（通知情報送信部２０４）は、上述の通知情報をコントローラ基板１００へ送信し（ステップＳ３０）、初期化実行命令を待つ状態となる（ステップＳ３１）。
【００３１】
コントローラ基板１００（検知部１０２）は、エンジン基板２００から上述の通知情報を受信した場合、エンジン基板２００が初期化を要する状態になったことを検知する。そして、コントローラ基板１００（初期化制御部１０３）は、エンジン基板２００に対して上述の初期化実行命令を送信する（ステップＳ３２）。また、コントローラ基板１００（初期化制御部１０３）は、コントローラ基板１００の初期化を実行する（ステップＳ３３）。また、コントローラ基板１００から初期化実行命令を受信したエンジン基板２００（初期化部２０２）は、エンジン基板２００の初期化を実行し（ステップＳ３４）、初期化が終了すると、その旨を示す初期化終了通知をコントローラ基板１００へ送信する（ステップＳ３５）。以降は、印刷要求を待つ状態となる。
【００３２】
本実施形態の構成であっても、上述の第１の実施形態と同様に、突発的なノイズの混入等によりエンジン基板２００が初期化を要する状態に陥っても、自動復旧できる。
【００３３】
（第４の実施形態）
次に、第４の実施形態について説明する。上述の第１の実施形態と共通する部分については適宜に説明を省略する。本実施形態では、コントローラ基板１００は、印刷対象の画像データを含み、かつ、印刷の実行を要求する印刷要求をエンジン基板２００へ送信し、エンジン基板２００は、コントローラ基板１００から受信した印刷要求に含まれる画像データに基づく印刷をハードウェア３００に実行させるための制御を行い、コントローラ基板１００に対して、印刷の状況を通知する印刷状況通知を定期的に送信する。そして、コントローラ基板１００は、印刷要求を送信した後、エンジン基板２００から、一定期間にわたって印刷状況通知を受信しない場合、印刷中に異常が発生した旨を報知する制御を行う。
【００３４】
図１１は、本実施形態のコントローラ基板１００が有する機能の一例を示す図である。図１１に示すように、コントローラ基板１００は、印刷要求送信部１０４と、報知制御部１０５と、をさらに有する。印刷要求送信部１０４は、上述の印刷要求をエンジン基板２００へ送信する。報知制御部１０５は、印刷要求送信部１０４により印刷要求が送信された後、エンジン基板２００から、一定期間にわたって印刷状況通知を受信しない場合、印刷中に異常が発生して印刷を中断した旨を報知する制御を行う。報知の形態は任意であり、例えば画像を表示する形態であってもよいし、音声を出力する形態であってもよい。
【００３５】
図１２は、本実施形態のエンジン基板２００が有する機能の一例を示す図である。図１２に示すように、エンジン基板２００は、印刷制御部２０５と、印刷状況通知送信部２０６と、をさらに有する。印刷制御部２０５は、上述の印刷要求をコントローラ基板１００から受け付けた場合、その受け付けた印刷要求に含まれる画像データに基づく印刷をハードウェア３００に実行させるための制御を行う。印刷状況通知送信部２０６は、印刷中において、印刷の状況を通知する印刷状況通知を定期的にコントローラ基板１００へ送信する。
【００３６】
図１３は、印刷中において、例えばノイズがエンジン基板２００のＣＰＵのリセット端子に混入するなどの原因により、エンジン基板２００が初期化を要する状態に陥った場合の画像形成装置１０の動作手順を示すシーケンス図である。図１３に示すように、コントローラ基板１００（印刷要求送信部１０４）は、印刷を実行すべきタイミングで、上述の印刷要求をエンジン基板２００へ送信する（ステップＳ４０）。エンジン基板２００（印刷制御部２０５）は、コントローラ基板１００から受け付けた印刷要求に含まれる画像データに基づく印刷をハードウェア３００に実行させるための制御を行う（ステップＳ４１）。図１３の例では、印刷実行中に、エンジン基板２００が初期化を要する状態に陥った場合（リセット発生した場合）を想定している（ステップＳ４２）。この場合、エンジン基板２００は初期化実行命令を待つ状態となる（ステップＳ４３）。また、ここでは、コントローラ基板１００は、エンジン基板２００から、一定期間にわたって印刷状況通知を受信しないので、印刷中に異常が発生して印刷を中断した旨を報知する制御を行う（ステップＳ４４）。
【００３７】
本実施形態は、上述した何れの実施形態と組み合わせてもよい。
【００３８】
以上、本発明に係る実施形態について説明したが、本発明は、上述の各実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。さらに異なる実施形態や変形例を適宜に組み合わせてもよい。
【００３９】
また、上述した実施形態の画像形成装置１０で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【符号の説明】
【００４０】
１      システム
１０    画像形成装置
２０    ＰＣ
１００  コントローラ基板
１０１  状態通知命令送信部
１０２  検知部
１０３  初期化制御部
１０４  印刷要求送信部
１０５  報知制御部
２００  エンジン基板
２０１  状態通知送信部
２０２  初期化部
２０３  状態信号出力部
２０４  通知情報送信部
２０５  印刷制御部
２０６  印刷状況通知送信部
３００  ハードウェア
３０１  定着ユニット
３０２  作像ユニット
３０３  用紙搬送ユニット
４００  信号線
【先行技術文献】
【特許文献】
【００４１】
【特許文献１】特開２００７−０９８７７５号公報
【図１】
2018132596.tif 000003
【図２】
2018132596.tif 000004
【図３】
2018132596.tif 000005
【図４】
2018132596.tif 000006
【図５】
2018132596.tif 000007
【図６】
2018132596.tif 000008
【図７】
2018132596.tif 000009
【図８】
2018132596.tif 000010
【図９】
2018132596.tif 000011
【図１０】
2018132596.tif 000012
【図１１】
2018132596.tif 000013
【図１２】
2018132596.tif 000014
【図１３】
2018132596.tif 000015